(57)【特許請求の範囲】
【請求項１】
密閉構造を有する収容室と、該収容室内の空気を冷却する冷却手段とを具え、前記収容室には、画像表示パネルと、該画像表示パネルの動作を制御する回路基板とが収容され、前記収容室を形成する前面壁には、前記画像表示パネルの画面と対向する画像表示窓が設けられている画像表示装置において、
前記収容室は、板部材によって、該収容室を形成する前面壁に沿う前面側領域と、該収容室を形成する背面壁に沿う背面側領域とに仕切られ、収容室の前面側領域に前記画像表示パネルが配備される一方、収容室の背面側領域に前記回路基板が配備され、前記冷却手段は収容室の前面側領域内の空気を冷却するものであり、前記収容室の前面側領域には更に、前記画像表示パネルの背面側の空気を該背面に沿って所定の方向へ流す送風手段が配備され、前記板部材には、前記所定の方向と略同一の方向に並んだ一対の開口が形成されており、
前記一対の開口の内、一方の開口の内側又は該一方の開口の近傍位置には第１送風装置が配備され、他方の開口の内側又は該他方の開口の近傍位置には第２送風装置が配備されており、前記第１送風装置は、前記収容室内の空気を前面側領域から背面側領域へ前記一方の開口を通過させ、前記第２送風装置は、前記収容室内の空気を背面側領域から前面側領域へ前記他方の開口を通過させるものであり、
前記板部材には、前記一方の開口を開閉する第１蓋部材が枢支されると共に、前記他方の開口を開閉する第２蓋部材が枢支され、前記第１蓋部材は、前記第１送風装置からの風圧を受けて前記収容室の背面側領域の内側へ開き、前記第２蓋部材は、前記第２送風装置からの風圧を受けて前記収容室の前面側領域の内側へ開くことを特徴とする画像表示装置。
【請求項２】
前記収容室の前面側領域には、前記画像表示パネルの前面側と背面側を通過して該画像表示パネルを包囲する循環流路が形成されており、収容室の前面側領域内の空気は、前記送風手段の動作により前記循環流路に沿って循環する請求項１に記載の画像表示装置。
【発明の詳細な説明】
【技術分野】
【０００１】
本発明は、画像表示パネルを具えた画像表示装置に関する。
【背景技術】
【０００２】
従来の画像表示装置は、その殆どが屋内に設置することを前提として設計されたものであり（例えば特許文献１参照）、該画像表示装置には、画像表示パネル等の画像表示部や画像表示部の動作を制御する回路基板等を風雨やダスト等から保護する対策が施されていなかった。このため、従来の画像表示装置は、屋外に常設することが困難であった。
【０００３】
近年、平面型の画像表示パネルを具えた画像表示装置を屋外に常設することが望まれている。その理由として、該画像表示装置はその厚さ寸法が小さいこと等が挙げられる。厚さ寸法が小さいと、狭い場所への画像表示装置の設置が可能となる。
【先行技術文献】
【特許文献】
【０００４】
【特許文献１】特開２００５−２８６９８７号公報
【発明の概要】
【発明が解決しようとする課題】
【０００５】
上記画像表示装置の屋外への常設を可能にするべく、筐体の内部に、密閉構造を有する収容室を形成し、該収容室に画像表示パネルと回路基板とを収容することが考えられる。
【０００６】
しかしながら、画像表示パネルと回路基板とを同じ１つの収容室に収容すると、画像表示パネルと回路基板とから生じる熱により、収容室内の温度が上昇し易くなる。このため、画像表示パネルの温度が上昇して該画像表示パネルの機能が低下し、その結果、画像表示が不能になる虞がある。又、回路基板の温度が上昇して該回路基板が破損する虞がある。
【０００７】
これに対し、上記収容室内の空気を冷却する冷却手段を具えた画像表示装置によれば、収容室内の温度上昇が抑制されることになる。しかし、画像表示パネルと回路基板とが同じ１つの収容室に収容された画像表示装置においては、回路基板は、画像表示パネルに近接して配置されることになる。このため、画像表示パネルから生じる熱は回路基板に伝達され易く、従って、冷却手段によって収容室内の空気が冷却されているにも拘わらず、回路基板の温度が上昇して該回路基板が破損する虞がある。
【０００８】
一方、収容室の外部に回路基板を配備した画像表示装置、例えば収容室を形成する背面壁の背面側に回路基板を配備した画像表示装置によれば、画像表示パネルから生じる熱が回路基板に伝達され難くなる。しかし、この構成においては、密閉構造を有する収容室の外部に回路基板が配置されるため、画像表示装置を屋外に常設した場合、回路基板が風雨やダスト等に晒されて回路基板が破損する虞がある。
【０００９】
そこで本発明の目的は、画像表示パネルの動作を制御する回路基板を冷却することが可能であって、且つ、該回路基板が破損し難い画像表示装置を提供することである。
【課題を解決するための手段】
【００１０】
本発明に係る画像表示装置は、密閉構造を有する収容室と、該収容室内の空気を冷却する冷却手段とを具え、前記収容室には、画像表示パネルと、該画像表示パネルの動作を制御する回路基板とが収容され、前記収容室を形成する前面壁には、前記画像表示パネルの画面と対向する画像表示窓が設けられている。ここで、前記収容室は、板部材によって、該収容室を形成する前面壁に沿う前面側領域と、該収容室を形成する背面壁に沿う背面側領域とに仕切られ、収容室の前面側領域に前記画像表示パネルが配備される一方、収容室の背面側領域に前記回路基板が配備されている。前記冷却手段は収容室の前面側領域内の空気を冷却するものであり、前記収容室の前面側領域には更に、前記画像表示パネルの背面側の空気を該背面に沿って所定の方向へ流す送風手段が配備され、前記板部材には、前記所定の方向と略同一の方向に並んだ一対の開口が形成されている。
【００１１】
上記画像表示装置においては、密閉構造を有する収容室に画像表示パネルと回路基板とが収容されているので、画像表示装置が屋外に設置された場合でも、画像表示パネルと回路基板は風雨やダスト等から保護されることになる。
【００１２】
又、上記画像表示装置においては、収容室が、板部材によって、画像表示パネルが配備されている前面側領域と、回路基板が配備されている背面側領域とに仕切られているので、画像表示パネルと回路基板との間には板部材が介在することになる。従って、画像表示パネルから生じた熱は回路基板に伝達され難い。
【００１３】
一方、収容室の前面側領域内には画像表示パネルから生じる熱が溜まり易く、又、収容室の背面側領域内には回路基板から生じる熱が溜まり易い。このため、収容室の前面側領域及び背面側領域内の温度は上昇し易くなっている。ここで、収容室の前面側領域内の空気は冷却手段により冷却される。よって、収容室の前面側領域内の温度上昇が抑制され、その結果、画像表示パネルの温度上昇が抑制されて、画像表示パネルの機能は正常な状態に維持される。
【００１４】
上記画像表示装置においては、送風手段が動作して画像表示パネルの背面側の空気が該背面に沿って所定の方向へ流れると、該空気の一部が、上流側の開口を通過して収容室の背面側領域へ流れ込み、該背面側領域に流れ込んだ空気は、背面側領域を通過して、下流側の開口から収容室の前面側領域へ戻ることになる。ここで、収容室の前面側領域内の空気は冷却手段により冷却されるので、冷却手段によって冷却された空気の一部が、収容室の背面側領域を通過することになる。よって、収容室の背面側領域内の温度上昇が抑制され、その結果、熱による回路基板の破損が防止されることになる。
【００１５】
上記画像表示装置の具体的構成において、前記一対の開口の内、一方の開口の内側又は該一方の開口の近傍位置には第１送風装置が配備され、他方の開口の内側又は該他方の開口の近傍位置には第２送風装置が配備されており、前記第１送風装置は、前記収容室内の空気を前面側領域から背面側領域へ前記一方の開口を通過させ、前記第２送風装置は、前記収容室内の空気を背面側領域から前面側領域へ前記他方の開口を通過させる。
該具体的構成によれば、第１送風装置を動作させることにより、画像表示パネルの背面側を流れる空気の一部が、一方の開口を通過して収容室の背面側領域へ流れ込み易くなる。又、第２送風装置を動作させることにより、一方の開口から収容室の背面側領域へ流れ込んだ空気は、背面側領域を通過して、他方の開口から収容室の前面側領域へ戻り易くなる。従って、収容室の背面側領域には、冷却手段によって冷却された空気の一部が通過し易くなる。
【００１６】
より具体的な構成において、前記板部材には、前記一方の開口を開閉する第１蓋部材が枢支されると共に、前記他方の開口を開閉する第２蓋部材が枢支され、前記第１蓋部材は、前記第１送風装置からの風圧を受けて前記収容室の背面側領域の内側へ開き、前記第２蓋部材は、前記第２送風装置からの風圧を受けて前記収容室の前面側領域の内側へ開く。
【００１７】
上記具体的構成によれば、第１送風装置及び第２送風装置が動作している場合、第１蓋部材及び第２蓋部材が開いて一対の開口が露出することになる。従って、収容室の前面側領域と背面側領域との間での空気の移動が両蓋部材によって妨げられることがない。
一方、第１送風装置及び第２送風装置の動作が停止している場合、第１蓋部材及び第２蓋部材が閉じて、一対の開口が塞がれることになる。従って、収容室の前面側領域と背面側領域との間での空気の移動が、両蓋部材によって阻止されることになる。よって、収容室の前面側領域内の空気が、冷却手段によって効率良く冷却されることになり、その結果、画像表示パネルの温度が低下し易くなる。
【００１８】
上記画像表示装置の他の具体的構成において、前記収容室の前面側領域には、前記画像表示パネルの前面側と背面側を通過して該画像表示パネルを包囲する循環流路が形成されており、収容室の前面側領域内の空気は、前記送風手段の動作により前記循環流路に沿って循環する。
該具体的構成によれば、循環流路内を循環する空気によって、画像表示パネルの背面側から生じる熱だけでなく、画像表示パネルの前面側から生じる熱が回収されることになる。従って、画像表示パネルは効率良く冷却されることになる。
【発明の効果】
【００１９】
本発明に係る画像表示装置は、画像表示パネルの動作を制御する回路基板を冷却することが可能であって、且つ、該回路基板が破損し難い。
【図面の簡単な説明】
【００２０】
【図１】図１は、本発明の一実施形態に係る画像表示装置を前面側から見た斜視図である。
【図２】図２は、上記画像表示装置の鉛直断面図である。
【図３】図３は、上記画像表示装置の第１変形例を示す鉛直断面図である。
【図４】図４は、上記画像表示装置の第２変形例を示す鉛直断面図である。
【図５】図５は、上記第２変形例に係る画像表示装置が具える送風装置及び蓋部材の動作を説明する鉛直断面図である。
【図６】図６は、上記第２変形例に係る画像表示装置について、送風装置の制御に関する構成を示すブロック図である。
【発明を実施するための形態】
【００２１】
以下、本発明の実施の形態につき、図面に沿って具体的に説明する。
図１に示す様に、本発明の一実施形態に係る画像表示装置は、筐体(１)と、筐体(１)内に配備されている液晶表示パネル(２)と、筐体(１)を支持するキャスタ付き支持台(３)と、冷却装置(４)とを具えている。液晶表示パネル(２)は、画像表示用の光源として発光ダイオード（ＬＥＤ）を有している。
【００２２】
図２に示す様に、筐体(１)の内部には、密閉構造を有する収容室(５)が形成されている。収容室(５)を形成する前面壁(51)は、筐体(１)を構成する前面壁(11)により構成されており、該前面壁(11)は、光透過性を有する材質、例えばガラス材から形成されている。一方、収容室(５)を形成する上面壁、下面壁、両側面壁及び背面壁は、アルミニウム等の金属から形成されている。
【００２３】
収容室(５)は、板部材(６)によって、収容室(５)を形成する前面壁(51)に沿う前面側領域(53)と、収容室(５)を形成する背面壁(52)に沿う背面側領域(54)とに仕切られている。板部材(６)には、上下一対の開口(61)(62)が形成されている。
【００２４】
収容室(５)の前面側領域(53)には、液晶表示パネル(２)が収容されており、該液晶表示パネル(２)の画面(21)は、収容室(５)を形成する前面壁(51)（筐体(１)の前面壁(11)）に向けられている。斯くして、図２に示す様に、収容室(５)を形成する前面壁(51)（筐体(１)の前面壁(11)）の内、液晶表示パネル(２)の画面(21)と対向する部分により画像表示窓(10)が構成され、該画像表示窓(10)を通じて、液晶表示パネル(２)の画面(21)を筐体(１)の外部から視認することが可能になっている。
【００２５】
収容室(５)の前面側領域(53)内には、液晶表示パネル(２)の前面側と背面側とを通過して該液晶表示パネル(２)を包囲する循環流路(50)が形成されている。具体的には、循環流路(50)は、液晶表示パネル(２)の画面(21)と画像表示窓(10)との間を通過する第１流路部(501)と、液晶表示パネルの背面(25)と板部材(６)との間を通過する第２流路部(502)とを含み、該第１流路部(501)と第２流路部(502)は、それらの上端部が互いに連通すると共に、それらの下端部が、収容室(５)の下方位置にて冷却装置(４)を介して互いに連通している。
【００２６】
収容室(５)の前面側領域(53)には更に、送風装置(70)が収容されており、該送風装置(70)は、液晶表示パネル(２)の背面側の位置にて、その吸気側を上方に向けると共にその排気側を下方に向けて配置されている。従って、送風装置(70)が動作することにより、図２において一点鎖線矢印によって示す様に、循環流路(50)の第２流路部(502)内の空気（液晶表示パネル(２)の背面側の空気）は、液晶表示パネル(２)の背面に沿って下方へ流れ、その後、冷却装置(４)を通過して第１流路部(501)へ下方から流れ込むことになる。よって、循環流路(50)の第１流路部(501)内の空気（液晶表示パネル(２)の前面側の空気）は、液晶表示パネル(２)の前面に沿って上方へ流れ、その後、液晶表示パネル(２)の上面側を通過して第２流路部(502)へ上方から流れ込むことになる。この様に、送風装置(70)が動作することにより、収容室(５)の前面側領域(53)内の空気は、循環流路(50)に沿って循環することになる。
【００２７】
収容室(５)の背面側領域(54)には、液晶表示パネル(２)の動作を制御する回路基板(22)が収容されており、該回路基板(22)は、板部材(６)の背面の内、上下一対の開口(61)(62)が形成されている領域の間の領域に取り付けられている。
【００２８】
図示していないが、冷却装置(４)は、循環流路(50)内の熱を回収する蒸発器と、該蒸発器により回収された熱を循環流路(50)の外部に排出する凝縮器とを具え、蒸発器と凝縮器とは、冷媒が流れる配管によって互いに連結されている。又、冷却装置(４)は、蒸発器から凝縮器へ流れる冷媒を圧縮する圧縮機を具えている。従って、凝縮器には高温且つ高圧の冷媒が流れ込むことになる。よって、蒸発器によって回収された熱は、凝縮器により効率良く排出される。
従って、冷却装置(４)によって循環流路(50)内を循環する空気が冷却され、これにより、収容室(５)の前面側領域(53)内の空気が冷却されることになる。
【００２９】
上記画像表示装置においては、密閉構造を有する収容室(５)に液晶表示パネル(２)と回路基板(22)とが収容されているので、画像表示装置が屋外に設置された場合でも、液晶表示パネル(２)と回路基板(22)は風雨やダスト等から保護されることになる。
【００３０】
又、上記画像表示装置においては、収容室(５)が、板部材(６)によって、液晶表示パネル(２)が配備されている前面側領域(53)と、回路基板(22)が配備されている背面側領域(54)とに仕切られている。従って、液晶表示パネル(２)と回路基板(22)との間には板部材(６)が介在することになる。よって、液晶表示パネル(２)から生じた熱は回路基板(22)に伝達され難い。
【００３１】
一方、収容室(５)の前面側領域(53)内には液晶表示パネル(２)から生じる熱が溜まり易く、又、収容室(５)の背面側領域(54)内には回路基板(22)から生じる熱が溜まり易い。このため、収容室(５)の前面側領域(53)及び背面側領域(54)内の温度は上昇し易くなっている。ここで、収容室(５)の前面側領域(53)内の空気は冷却装置(４)により冷却される。よって、収容室(５)の前面側領域(53)内の温度上昇が抑制され、その結果、液晶表示パネル(２)の温度上昇が抑制されて、液晶表示パネル(２)の機能は正常な状態に維持される。
【００３２】
又、循環流路(50)内を循環する空気によって、液晶表示パネル(２)の背面側から生じる熱だけでなく、液晶表示パネル(２)の前面側から生じる熱が回収されることになる。従って、液晶表示パネル(２)は効率良く冷却されることになる。
【００３３】
上記画像表示装置においては、送風装置(70)が動作することにより、液晶表示パネル(２)の背面側の空気が該背面に沿って下方へ流れる。このとき、液晶表示パネル(２)の背面側の空気が流れる方向、即ち、上から下へ向かう方向において、上側の開口(61)は上流側に位置し、下側の開口(62)は下流側に位置することになる。従って、図２において二点鎖線矢印によって示す様に、液晶表示パネル(２)の背面側を流れる空気の一部が、上側の開口(61)を通過して収容室(５)の背面側領域(54)へ流れ込み、該背面側領域(54)に流れ込んだ空気は、背面側領域(54)を通過して、下側の開口(62)から収容室(５)の前面側領域(53)へ戻ることになる。
ここで、収容室(５)の前面側領域(53)内の空気は冷却装置(４)により冷却されるので、冷却装置(４)によって冷却された空気の一部が、収容室(５)の背面側領域(54)を通過することになる。その結果、収容室(５)の背面側領域(54)内の温度上昇が抑制されて、熱による回路基板(22)の破損が防止されることになる。
【００３４】
上記実施形態においては、送風装置(70)は、その吸気側を上方に向けて配置されていたが、本発明はこれに限られるものではない。送風装置(70)は、その吸気側を下方に向けて配置されてもよい。送風装置(70)の吸気側が下方に向けられると、循環流路(50)の第２流路部(502)内の空気（液晶表示パネル(２)の背面側の空気）は上方へ流れ、これによって、循環流路(50)の第１流路部(501)内の空気（液晶表示パネル(２)の前面側の空気）は下方へ流れることになる。
【００３５】
循環流路(50)の第１流路部(501)と第２流路部(502)は、それらの側端部が互いに連通していてもよい。この構成においては、送風装置(70)は、その吸気側を側方に向けて配置されることになる。
【００３６】
上記実施形態においては、一対の開口(61)(62)は上下に並んで配置されていたが、本発明はこれに限られるものではない。一対の開口(61)(62)は、液晶表示パネル(２)の背面側の空気が該背面に沿って流れる所定の方向と略同一の方向に並んで配置されるべきものである。一対の開口(61)(62)をこの様に配置することにより、送風装置(70)が動作して液晶表示パネル(２)の背面側の空気が該背面に沿って所定の方向へ流れると、該空気の一部が、上流側の開口(61)を通過して収容室(５)の背面側領域(54)へ流れ込み、該背面側領域(54)に流れ込んだ空気は、背面側領域(54)を通過して、下流側の開口(62)から収容室(５)の前面側領域(53)へ戻ることになる。
よって、液晶表示パネル(２)の背面側の空気が該背面に沿って側方へ流れる構成においては、一対の開口(61)(62)は左右に並んで配置されることになる。
【００３７】
上記実施形態において、板部材(６)には、一対の開口(61)(62)が複数箇所に設けられていてもよい。
【００３８】
図３は、上記画像表示装置の第１変形例を示す鉛直断面図である。図３に示す様に、第１変形例に係る画像表示装置においては、一対の開口(61)(62)の内、上側の開口(61)の内側には第１送風装置(71)が配備され、下側の開口(62)の内側には第２送風装置(72)が配備されている。ここで、第１送風装置(71)は、その吸気側が収容室(５)の前面側領域(53)に向けられ、その排気側が収容室(５)の背面側領域(54)に向けられている。第２送風装置(72)は、その吸気側が収容室(５)の背面側領域(54)に向けられ、その排気側が収容室(５)の前面側領域(53)に向けられている。
【００３９】
従って、第１送風装置(71)が動作することにより、収容室(５)の前面側領域(53)内の空気は、上側の開口(61)を通過して背面側領域(54)へ移動することになる。一方、第２送風装置(72)が動作することにより、収容室(５)の背面側領域(54)内の空気は、下側の開口(62)を通過して前面側領域(53)へ移動することになる。
【００４０】
上記第１変形例に係る画像表示装置によれば、第１送風装置(71)を動作させることにより、液晶表示パネル(２)の背面側を流れる空気の一部が、上側の開口(61)を通過して収容室(５)の背面側領域(54)へ流れ込み易くなる。又、第２送風装置(72)を動作させることにより、図３において二点鎖線矢印によって示す様に、上側の開口(61)から収容室(５)の背面側領域(54)へ流れ込んだ空気は、背面側領域(54)を通過して、下側の開口(62)から収容室(５)の前面側領域(53)へ戻り易くなる。従って、収容室(５)の背面側領域(54)には、冷却装置(４)によって冷却された空気の一部が通過し易くなる。よって、回路基板(22)は、効率良く冷却されることになる。
【００４１】
図４は、上記画像表示装置の第２変形例を示す鉛直断面図である。図４に示す様に、第２変形例に係る画像表示装置においては、板部材(６)には、上側の開口(61)を開閉する第１蓋部材(81)が枢支されると共に、下側の開口(62)を開閉する第２蓋部材(82)が枢支されている。ここで、第１蓋部材(81)は、収容室(５)の背面側領域(54)の内側へ開くことが可能となる様に、板部材(６)に取り付けられている。第２蓋部材(82)は、収容室(５)の前面側領域(53)の内側へ開くことが可能となる様に、板部材(６)に取り付けられている。
【００４２】
又、収容室(５)の前面側領域(53)には、上側の開口(61)の近傍位置に第１送風装置(71)が配備され、収容室(５)の背面側領域(54)には、下側の開口(62)の近傍位置に第２送風装置(72)が配備されている。ここで、第１送風装置(71)は、その排気側を上側の開口(61)に向けて配置され、第２送風装置(72)は、その排気側を下側の開口(62)に向けて配置されている。
【００４３】
従って、第１送風装置(71)が動作することにより、図５に示す様に、第１蓋部材(81)は、第１送風装置(71)からの風圧を受けて収容室(５)の背面側領域(54)の内側へ開くことになる。一方、第２送風装置(72)が動作することにより、図５に示す様に、第２蓋部材(82)は、第２送風装置(72)からの風圧を受けて収容室(５)の前面側領域(53)の内側へ開くことになる。
【００４４】
図６に示す様に、上記第２変形例に係る画像表示装置は更に、収容室(５)の背面側領域(54)内の温度を検知する温度センサ(23)と、第１送風装置(71)と第２送風装置(72)の送風動作を制御する制御部(24)とを具えている。温度センサ(23)は、収容室(５)の背面側領域(54)内の温度を検知することにより、検知温度に応じて変化する温度情報を出力する。制御部(24)は、温度センサ(23)から出力される温度情報に基づいて、第１送風装置(71)と第２送風装置(72)の送風動作を制御する。
【００４５】
制御部(24)には、判断手段(241)と送風制御手段(242)とが含まれている。判断手段(241)は、温度センサ(23)から出力される温度情報に基づいて、収容室(５)の背面側領域(54)内の温度が所定の温度より高いか否かを判断する。送風制御手段(242)は、判断手段(241)により収容室(５)の背面側領域(54)内の温度が所定の温度より高いと判断されたとき、第１送風装置(71)と第２送風装置(72)に送風動作を実行させる一方、判断手段(241)により収容室(５)の背面側領域(54)内の温度が所定の温度より高くないと判断されたとき、第１送風装置(71)と第２送風装置(72)に送風動作を停止させる。
ここで、判断手段(241)の判断の基準となる所定の温度は、回路基板(22)に過熱による破損が生じ始めるときの収容室(５)の背面側領域(54)内の温度より低い温度に設定されている。
【００４６】
上記第２変形例に係る画像表示装置によれば、収容室(５)の背面側領域(54)内の温度が所定の温度より高くなると、第１送風装置(71)と第２送風装置(72)の送風動作が実行される。これにより、図５に示す様に、第１蓋部材(81)と第２蓋部材(82)が開いて、一対の開口(61)(62)が露出することになる。
【００４７】
よって、図５において二点鎖線矢印によって示す様に、液晶表示パネル(２)の背面側を流れる空気の一部が、上側の開口(61)を通過して収容室(５)の背面側領域(54)へ流れ込み、流れ込んだ空気は、背面側領域(54)を通過して、下側の開口(62)から収容室(５)の前面側領域(53)へ戻ることになる。従って、収容室(５)の背面側領域(54)には、冷却装置(４)によって冷却された空気の一部が通過することになる。その結果、背面側領域(54)内の温度上昇が抑制されて、熱による回路基板(22)の破損が防止されることになる。
【００４８】
一方、第１送風装置(71)と第２送風装置(72)の送風動作により収容室(５)の背面側領域(54)内の温度が所定の温度より低くなると、第１送風装置(71)と第２送風装置(72)の送風動作が停止される。よって、第１送風装置(71)と第２送風装置(72)の送風動作が背面側領域(54)内の温度の高低に拘わらず継続して実行される画像表示装置に比べて、消費電力が少なくて済む。
【００４９】
又、第１送風装置(71)と第２送風装置(72)の送風動作が停止されると、図４に示す様に、第１蓋部材(81)と第２蓋部材(82)が閉じて、一対の開口(61)(62)が塞がれることになる。従って、収容室(５)の前面側領域(53)と背面側領域(54)との間での空気の移動が、両蓋部材(81)(82)によって阻止されることになる。よって、収容室(５)の前面側領域(53)内の空気が、冷却装置(４)によって効率良く冷却されることになり、その結果、液晶表示パネル(２)の温度が低下し易くなる。
【００５０】
尚、本発明の各部構成は上記実施の形態に限らず、特許請求の範囲に記載の技術的範囲内で種々の変形が可能である。例えば、上記画像表示装置に採用した各種構成は、液晶表示パネル(２)を具えた画像表示装置に限らず、プラズマ表示パネルや有機ＥＬ（Electro-Luminescence）表示パネル等、種々の画像表示パネルを具えた画像表示装置に適用することが出来る。
【符号の説明】
【００５１】
(１)  筐体
(10)  画像表示窓
(２)  液晶表示パネル（画像表示パネル）
(21)  画面
(22)  回路基板
(23)  温度センサ
(24)  制御部（制御手段）
(241) 判断手段
(242) 送風制御手段
(４)  冷却装置（冷却手段）
(５)  収容室
(50)  循環流路
(51)  収容室を形成する前面壁
(52)  収容室を形成する背面壁
(53)  前面側領域
(54)  背面側領域
(６)  板部材
(61)  上側の開口
(62)  下側の開口
(70)  送風装置（送風手段）
(71)  第１送風装置
(72)  第２送風装置
(81)  第１蓋部材
(82)  第２蓋部材
【図１】
0005415206.tif 000002
【図２】
0005415206.tif 000003
【図３】
0005415206.tif 000004
【図４】
0005415206.tif 000005
【図５】
0005415206.tif 000006
【図６】
0005415206.tif 000007